(57)【要約】【課題】保存している複数の画像から所望の用途に好ましい画像を簡単に絞り込む。【解決手段】操作表示装置１は、複数の画像を記憶する記憶部を有するものであって、前記操作表示装置の動作を検出するセンサと、前記センサが所定の動作を検出している間に、前記複数の画像に対して絞り込み処理を行う絞り込み処理部と、前記絞り込み処理により抽出された画像を表示する表示部と、を備える。【選択図】図１
2019117441.tif 000002
【特許請求の範囲】
【請求項１】
複数の画像を記憶する記憶部を有する操作表示装置であって、
前記操作表示装置の動作を検出するセンサと、
前記センサが所定の動作を検出している間に、前記複数の画像に対して絞り込み処理を行う絞り込み処理部と、
前記絞り込み処理により抽出された画像を表示する表示部と、
を備えることを特徴とする操作表示装置。
【請求項２】
前記センサが前記所定の動作を検出する間、前記表示部は、現在の絞り込み画像数を表示し、
前記所定の動作の検出回数の増加に応じて、前記表示部に表示する画像数を減らしていくことを特徴とする請求項１に記載の操作表示装置。
【請求項３】
前記表示部が表示している現在の絞り込み画像数は、前記絞り込み処理部が絞り込んでいる画像数とは異なることを特徴とする請求項２に記載の操作表示装置。
【請求項４】
前記表示部は、前記絞り込み処理部が絞り込み処理を終了し、かつ、前記センサによる所定の動作の検出回数が所定値以上となった場合に、前記絞り込み処理により抽出された画像を表示することを特徴とする請求項１乃至３のいずれかに記載の操作表示装置。
【請求項５】
テンプレートの選択を受け付ける選択部をさらに備え、
前記表示部は、前記絞り込み処理により抽出された画像を前記テンプレートに配置したプレビュー画面を表示することを特徴とする請求項１乃至４のいずれかに記載の操作表示装置。
【請求項６】
表示部、動作を検出するセンサ、及び複数の画像を記憶する記憶部を備えるコンピュータを制御するプログラムであって、
前記センサが所定の動作を検出した場合に、前記複数の画像に対して絞り込み処理を行うステップと、
前記絞り込み処理により抽出された画像を前記表示部に表示するステップと、
を前記コンピュータに実行させることを特徴とするプログラム。
【発明の詳細な説明】
【技術分野】
【０００１】
本発明は、操作表示装置及びプログラムに関する。
【背景技術】
【０００２】
スマートフォンやタブレット端末等の携帯機器で撮影した画像をネットワーク上にアップロードし、フォトブックを注文するサービスが提供されている。フォトブックの注文に際し、まずユーザは商品を選択し、フォトブックのサイズやページ数等を決定する。
【０００３】
商品選択後、ユーザは、携帯機器に保存されている多数の画像の中から好みの画像を選択する。画像の選択にあたり、フォトブックに使用する画像として好ましいものを自動的に判別する機能が知られている。判別処理により、例えば、解像度の高い画像や、ピンボケしていない画像に、星マークなどが付される。
【０００４】
しかし、多数の画像の中からマーキングされている画像を探し出すのは手間がかかっていた。また、判別処理には時間がかかり、待ち時間にユーザを飽きさせてしまうことがあった。
【先行技術文献】
【特許文献】
【０００５】
【特許文献１】特許第５９８８７９８号明細書
【発明の概要】
【発明が解決しようとする課題】
【０００６】
本発明は、保存している複数の画像から所望の用途に好ましい画像を簡単に絞り込むことができる操作表示装置及びプログラムを提供することを課題とする。
【課題を解決するための手段】
【０００７】
本発明の操作表示装置は、複数の画像を記憶する記憶部を有する操作表示装置であって、前記操作表示装置の動作を検出するセンサと、前記センサが所定の動作を検出している間に、前記複数の画像に対して絞り込み処理を行う絞り込み処理部と、前記絞り込み処理により抽出された画像を表示する表示部と、を備えるものである。
【０００８】
本発明の一態様では、前記センサが前記所定の動作を検出する間、前記表示部は、現在の絞り込み画像数を表示し、前記所定の動作の検出回数の増加に応じて、前記表示部に表示する画像数を減らしていく。
【０００９】
本発明の一態様では、前記表示部が表示している現在の絞り込み画像数は、前記絞り込み処理部が絞り込んでいる画像数とは異なる。
【００１０】
本発明の一態様では、前記表示部は、前記絞り込み処理部が絞り込み処理を終了し、かつ、前記センサによる所定の動作の検出回数が所定値以上となった場合に、前記絞り込み処理により抽出された画像を表示する。
【００１１】
本発明の一態様では、テンプレートの選択を受け付ける選択部をさらに備え、前記表示部は、前記絞り込み処理により抽出された画像を前記テンプレートに配置したプレビュー画面を表示する。
【００１２】
本発明のプログラムは、表示部、動作を検出するセンサ、及び複数の画像を記憶する記憶部を備えるコンピュータを制御するプログラムであって、前記センサが所定の動作を検出した場合に、前記複数の画像に対して絞り込み処理を行うステップと、前記絞り込み処理により抽出された画像を前記表示部に表示するステップと、を前記コンピュータに実行させるものである。
【発明の効果】
【００１３】
本発明によれば、保存している複数の画像から所望の用途に好ましい画像を簡単に絞り込むことができる。
【図面の簡単な説明】
【００１４】
【図１】（ａ）は画像グループ選択画面を示す図であり、（ｂ）は操作表示装置をシェイクする様子を示す図であり、（ｃ）〜（ｅ）は絞り込み処理中の表示画面を示す図であり、（ｆ）はテンプレートに画像が配置されたプレビュー画面を示す図である。
【図２】実施の形態に係る操作表示装置の概略構成を示すブロック図である。
【図３】フォトブック作製プログラムを実行することで実現される機能ブロック図である。
【図４】実施の形態に係るフォトブック注文方法を説明するフローチャートである。
【発明を実施するための形態】
【００１５】
以下、図面を参照して実施の形態について説明する。
【００１６】
本実施形態では、スマートフォンやタブレット端末等の操作表示装置から、装置内に保存されている画像データを用いてフォトブックの注文を行う。フォトブックの注文を行うにあたり、ユーザは操作表示装置で専用アプリケーションプログラムを実行し、商品選択を行い、フォトブックのサイズ、ページ数、テンプレート（レイアウトや背景）等を指定する。
【００１７】
続いて、操作表示装置内に保存されている多数の画像からフォトブックに使用する画像を選択する。本実施形態では、ユーザが、複数の画像を含む画像グループを選択すると、操作表示装置が、この画像グループから、フォトブックに使用する画像の絞り込み処理を行う。
【００１８】
一般に、画像は撮影日等を基準にフォルダ分けされている。図１（ａ）に示すように、ユーザは、操作表示装置１のタッチパネルＴを操作し、画像グループとして１つ以上の画像フォルダを選択する。
【００１９】
フォトブックに使用する画像の数は、選択された商品のページ数やレイアウトから定まる。操作表示装置１は、選択された画像フォルダに含まれている画像を、フォトブックに使用する画像数（目標画像数）まで絞り込む処理を行う。
【００２０】
画像絞り込み処理を行うにあたり、ユーザは、図１（ｂ）に示すように、操作表示装置１を振る（シェイクする）。例えば、操作表示装置１を把持し、タッチパネルＴが横を向くようにして操作表示装置１を上下に振る。
【００２１】
タッチパネルＴには、当初、選択された画像フォルダに含まれる画像の合計数が表示されており、操作表示装置１を振り続けることで、画像数が減少していく。例えば、操作表示装置１をある程度振ると、図１（ｃ）に示すように、タッチパネルＴには、現在４０枚まで絞り込まれ、目標画像数の１２枚まであと２８枚であることが表示される。
【００２２】
操作表示装置１を振った回数が所定値に達し、操作表示装置１内での絞り込み処理が完了していると、図１（ｅ）に示すように、タッチパネルＴは、絞り込みが完了したことを表示し、表示ボタン３を表示する。ユーザが表示ボタン３を押すと、操作表示装置１は、絞り込み処理により選択した画像をテンプレートに配置し、プレビュー画面をタッチパネルＴに表示する。テンプレートに配置する画像の順番は、例えば撮影日時順である。
【００２３】
操作表示装置１を振った回数が所定値に達した時点で、操作表示装置１内での絞り込み処理が未だ完了していない場合は、絞り込み処理が完了するまでの間、図１（ｄ）に示すように、表示準備段階であることをタッチパネルＴに表示する。その後、絞り込み処理が完了すると、図１（ｅ）の画面に切り替わる。
【００２４】
ユーザは、プレビュー画面を確認し、必要に応じて文字を入力するなどの編集を行う。編集後、操作表示装置１は、フォトブックの全ページを画像化し、画像データを注文受付サーバ（図示略）へ送信する。注文受付サーバは、画像データを工場へ転送する。工場においてプリント処理が行われ、フォトブックが製造される。
【００２５】
本実施形態では、ユーザが操作表示装置１を振っている間に画像の絞り込み処理を行い、テンプレートに自動配置する。ユーザは、画像選択元の画像フォルダを選択し、操作表示装置１を振るだけでよいため、操作に手間がかからない。また、操作表示装置１を振ることで、タッチパネルＴに表示されている数が徐々に減少し、目標画像数に近づいていくため、ユーザは、操作表示装置１が画像の絞り込み処理を行っている時間を楽しんで過ごすことができる。
【００２６】
図３は、操作表示装置１の概略構成を示すブロック図である。操作表示装置１は、操作表示装置１の動作を統括的に制御する制御部としてのＣＰＵ（Central  Processing  Unit）１０を有している。ＣＰＵ１０には、バスを介して、ＲＯＭ（Read  Only  Memory）１１、ＲＡＭ（Random  Access  Memory）１２、不揮発性メモリ１３、操作部１４、表示部１５、撮影部１６、通信部１７、センサ１８等が接続されている。
【００２７】
ＣＰＵ１０は、ＯＳ（Operating  System）プログラムをベースとし、その上で、ミドルウェアやアプリケーションプログラムなどを実行する。ＲＯＭ１１には、各種のプログラムが格納されており、これらのプログラムに従ってＣＰＵ１０が各種処理を実行することで操作表示装置１の各機能が実現される。
【００２８】
ＲＡＭ１２は、ＣＰＵ１０がプログラムに基づいて処理を実行する際にデータを一時的に格納するワークメモリとして使用される。
【００２９】
不揮発性メモリ１３は、画像データやテンプレートデータの保存などに使用される。テンプレートデータは、複数種類のレイアウトデータ及び背景データを含む。不揮発性メモリ１３は、例えばフラッシュメモリである。
【００３０】
操作部１４は、ユーザから各種の操作を受け付ける。表示部１５は、各種の操作画面を表示する。この実施の形態では、タッチパネルＴが、操作部１４及び表示部１５の機能を有する。
【００３１】
撮影部１６は例えばデジタルカメラである。撮影部１６で撮影した画像データは不揮発性メモリ１３に格納される。
【００３２】
通信部１７は、インターネット等を介して注文受付サーバと通信を行う。
【００３３】
センサ１８は、操作表示装置１の動作（振動、加速、回転等）を検出するモーションセンサを含む。センサ１８は、重力の作用方向を検出する重力センサ等の他のセンサをさらに備えていてもよい。
【００３４】
ＲＯＭ１１（又は不揮発性メモリ１３）にはフォトブック作製プログラムが格納されており、ＣＰＵ１０がフォトブック作製プログラムを実行することで、図３に示すように、商品選択部２０、画像グループ選択部２１、絞り込み条件設定部２２、モーション判定部２３、絞り込み処理部２４、画像配置部２５、編集部２６、及びフォトブックデータ送信部２７が実現される。
【００３５】
商品選択部２０は、フォトブックの商品サイズやページ数、テンプレート（レイアウト及び背景）の選択を受け付ける。
【００３６】
画像グループ選択部２１は、画像絞り込み処理をするにあたり、絞り込み対象の画像グループの選択を受け付ける。例えば、画像グループ選択部２１は、不揮発性メモリ１３に格納されている画像フォルダの一覧をタッチパネルＴに表示し、絞り込み対象の画像フォルダの選択を受け付ける。
【００３７】
絞り込み条件設定部２２は、画像の絞り込み条件の設定を受け付ける。絞り込み条件は、例えば、人物の顔優先、風景優先等である。
【００３８】
モーション判定部２３は、センサ１８を用いて、操作表示装置１が所定の動作をしたか否かを判定する。例えば、モーション判定部２３は、操作表示装置１が振られたか否かを判定する。また、モーション判定部２３は、操作表示装置１が所定回数振られたか否かを判定する。
【００３９】
絞り込み処理部２４は、モーション判定部２３が所定の動作を検出すると、絞り込み処理を開始する。絞り込み処理部２４は、絞り込み対象の画像フォルダ内の画像から、フォトブックに好適な画像を、目標画像数まで絞り込む。目標画像数は、ユーザにより選択されたフォトブックのページ数やレイアウトから決定される。
【００４０】
画像の絞り込み方法は特に限定されず、例えば、レイティング、タイムクラスタリング、類似画像判定、撮影場所フィルタリング、主人公設定などが挙げられる。また、設定されている絞り込み条件を考慮して絞り込みが行われる。例えば、人物の顔優先という条件が設定されている場合は、人物の顔画像が写っている画像が優先して候補として残る。
【００４１】
画像配置部２５は、絞り込み処理部２４により絞り込まれて抽出された画像を、選択されたテンプレートに配置し、プレビュー画面をタッチパネルＴに表示する。例えば、画像配置部２５は、絞り込まれた画像を撮影日時順にソートする。画像のソートは、撮影日時に基づくものに限定されず、画像評価が高い順であってもよい。
【００４２】
編集部２６は、ユーザからの指示に応じて編集処理を行う。例えば、編集処理は、文字入力、画像の拡縮、画像のソート順の変更等である。
【００４３】
フォトブックデータ送信部２７は、フォトブックの全ページを画像化し、通信部１７を介して、画像データを注文受付サーバへ送信する。
【００４４】
次に、図４に示すフローチャートに沿って、フォトブック注文方法について説明する。
【００４５】
ユーザが、フォトブックの商品選択を行い、サイズ、ページ数等を決定する（ステップＳ１）。また、ユーザは、レイアウトや背景等のテンプレートを選択する。
【００４６】
ユーザは、操作表示装置１の記憶部に保存されている複数の画像フォルダから、画像絞り込み対象とする画像フォルダを選択する（ステップＳ２）。また、ユーザは、必要に応じて、絞り込み条件を設定する（ステップＳ３）。
【００４７】
絞り込み処理を開始するために、ユーザは操作表示装置１を振る。モーション判定部２３が、操作表示装置１のモーション（シェイク動作）を検出すると、タッチパネルＴの表示画面を更新し、現在の絞り込み画像数や、目標画像数までの残り数を表示する（ステップＳ５）。なお、タッチパネルＴに表示する現在の絞り込み枚数は、絞り込み処理部２４が実際に絞り込んでいる画像数と一致していなくてもよい。シェイク動作の回数が増えるにつれて、タッチパネルＴに表示する現在の絞り込み枚数を徐々に減らしていく。
【００４８】
モーション検出回数が所定値以上となり（ステップＳ６＿Ｙｅｓ）、絞り込み処理部２４が絞り込み処理を完了すると（ステップＳ７＿Ｙｅｓ）、図１（ｅ）に示すような画面をタッチパネルＴに表示する。ユーザが表示ボタン３を押すと、画像配置部２５が、テンプレートに絞り込まれた画像を配置し、フォトブックのプレビュー画面をタッチパネルＴに表示する（ステップＳ８）。
【００４９】
プレビュー画面を確認したユーザは、必要に応じて編集処理を行う（ステップＳ９）。編集処理後、フォトブックデータ送信部２７が、フォトブックの全ページを画像化し、通信部１７を介して、画像データを注文受付サーバへ送信し、注文を行う（ステップＳ１０）。
【００５０】
本実施形態によれば、ユーザは画像グループ（画像フォルダ）を選択後、操作表示装置１を振るだけで、フォトブックへの使用に好ましい画像を自動的に絞り込むことができる。操作表示装置１を振っている間、タッチパネルＴに表示される絞り込み枚数が徐々に減っていくため、ユーザは絞り込み処理の待ち時間を楽しく過ごすことができ、絞り込み枚数が目標画像数に達すると達成感を味わうことができる。
【００５１】
上記実施形態において検出する操作表示装置１のモーションは、振る（シェイク）でなく、回転（ツイスト）等の他の動きでもよい。
【００５２】
フォトブックでなく、カレンダー、ポスター、ポストカードなど他の印画物の注文を行ってもよい。
【００５３】
印画物の注文時の画像絞り込み処理でなく、操作表示装置１内に保存されている画像から、設定した絞り込み条件で画像を絞り込む処理にも、本実施形態に係る方法を適用できる。また、操作表示装置１は、絞り込んだ画像をプリンタへ転送し、プリント出力するようにしてもよい。
【００５４】
上記実施形態では、ユーザから画像グループの選択を受け付け、選択された画像グループ内の画像を絞り込んでいたが、画像グループの選択を省略し、操作表示装置１内に保存されている全ての画像を絞り込み対象としてもよい。
【００５５】
上記実施形態では、選択されたフォトブックのページ数やレイアウトから絞り込み枚数（目標画像数）を決定していたが、絞り込み枚数をユーザが設定してもよい。例えば、ユーザは、フォトブックに使用される画像数よりも少し多い数を目標画像数として決定し、操作表示装置１が絞り込んだ画像から、最終的な絞り込みを行ってもよい。
【００５６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５７】
１  操作表示装置
１０  ＣＰＵ
１１  ＲＯＭ
１２  ＲＡＭ
１３  不揮発性メモリ
１４  操作部
１５  表示部
１６  撮影部
１７  通信部
１８  センサ
【図１】
2019117441.tif 000003
【図２】
2019117441.tif 000004
【図３】
2019117441.tif 000005
【図４】
2019117441.tif 000006